(57)【要約】【課題】陳列棚の前方に張り出す従来の商品表示用具は、店内通路や表示体の邪魔になりやすく、既存の表示体を隠してしまう問題点があった。【解決手段】サンプル毛束Ｓが、毛束１の端部に固定板２を有しており、毛束１を外部に延出させた状態にして固定板２を挟持する正面板１１と背面板１２とを備え、正面板１１及び背面板１２が、相対向面に、互いに係合する係合部１３，１４を有し、背面板１２が、背面に、陳列棚１００に設けた竪壁１０４Ａの上部に装着する掛止部１５を有しているサンプル毛束用ホルダＳとすることで、店内通路の既存の表示体の邪魔にならずに、サンプル毛束Ｓを展示する。【選択図】図１
2020018359.tif 000002
【特許請求の範囲】
【請求項１】
陳列棚の前端において染髪料のサンプル毛束を展示するためのホルダであって、
サンプル毛束が、毛束の端部に固定板を有しており、
毛束を外部に延出させた状態にして固定板を挟持する正面板と背面板とを備え、
正面板及び背面板が、相対向面に、互いに係合する係合部を有し、
背面板が、背面に、陳列棚に設けた竪壁の上部に装着する掛止部を有していることを特徴とするサンプル毛束用ホルダ。
【請求項２】
正面板及び背面板が、夫々の一辺同士で互いに回動可能に連結してあることを特徴とする請求項１に記載のサンプル毛束用ホルダ。
【請求項３】
正面板及び背面板の相対向面のうちの少なくとも一方の面に、サンプル毛束の固定板の位置を規制する位置決め部を有していることを特徴とする請求項１又は２に記載のサンプル毛束用ホルダ。
【発明の詳細な説明】
【技術分野】
【０００１】
本発明は、店舗等でＰＯＰ用品として使用され、陳列棚の前端において染髪料のサンプル毛束を展示するのに用いられるサンプル毛束用ホルダに関するものである。
【背景技術】
【０００２】
従来において、サンプル毛束用ホルダとしては、商品表示用具の名称で、特許文献１に記載されているものがある。特許文献１に記載の商品表示用具は、背板と、背板の上端部から前方に下向き傾斜する表示部と、表示部の裏側で背板に対向する保持部とを備えている。この商品表示用具は、背板と保持部とで陳列棚周縁の棚等を挟持した状態に取り付けられる。
【０００３】
また、特許文献１には、染髪料の毛束見本が記載されている。この毛束見本は、固定板に、紐体を介して毛束を吊り下げた構造である。そして、商品表示用具は、表示部に形成した開口に毛束見本の固定板を係止して、陳列棚の正面に毛束見本を展示する。
【０００４】
なお、近年では、多くの店舗で見られるように、陳列棚の前端に、商品の価格や宣伝広告等の表示物を表示するための表示体が装着されている。上記の商品表示用具は、既存の表示体に装着することも可能である。
【先行技術文献】
【特許文献】
【０００５】
【特許文献１】特開２０１０−１７２５０７号公報
【発明の概要】
【発明が解決しようとする課題】
【０００６】
しかしながら、上記したような従来の商品表示用具は、陳列棚の前方に表示部が大きく張り出すと共に、既存の表示体を覆い隠してしまうため、店内通路や表示体の邪魔になりやすいという問題点があり、このような問題点を解決することが課題であった。なお、従来の表品表示用具は、表示部を表示物に設けることが可能であるが、既存の表示体を備えた陳列棚では、表示物の付け替え等が面倒であった。
【０００７】
本発明は、上記従来の課題に着目して成されたもので、店内通路や既存の表示体の邪魔にならずに、サンプル毛束を展示することができるサンプル毛束用ホルダを提供することを目的としている。
【課題を解決するための手段】
【０００８】
本発明に係わるサンプル毛束用ホルダは、陳列棚の前端において染髪料のサンプル毛束を展示するためのホルダであって、サンプル毛束が、毛束の端部に固定板を有しており、毛束を外部に延出させた状態にして固定板を挟持する正面板と背面板とを備え、正面板及び背面板が、相対向面に、互いに係合する係合部を有し、背面板が、背面に、陳列棚に設けた竪壁の上部に装着する掛止部を有することを特徴としている。
上記構成において、陳列棚に設けた竪壁としては、例えば、陳列棚の前端に装着した表示体の竪壁などが含まれる。
【発明の効果】
【０００９】
本発明に係わるサンプル毛束用ホルダは、その正面が、正面板とその外部に延出した毛束のみで形成され、背面に設けた掛止部により、陳列棚の竪壁や既存の表示体の竪壁の上部に掛止する。このため、サンプル毛束用ホルダは、既存の表示体がある場合でも、陳列棚の前方に張り出すことはなく、表示体を覆う面積も必要最小限である。このようにして、サンプル毛束用ホルダは、店内通路や既存の表示体の邪魔にならずに、サンプル毛束を展示することができる。
【図面の簡単な説明】
【００１０】
【図１】本発明に係わるサンプル毛束用ホルダの一実施形態を説明する正面図（Ａ）、及び側面図（Ｂ）である。
【図２】図１に示すサンプル毛束用ホルダを展開状態にした正面図（Ａ）、同じく展開状態の側面図（Ｂ）、及び装着部材の平面図（Ｃ）である。
【図３】陳列棚及び表示体を分解状態で説明する要部の断面図（Ａ）、仕切板の正面図（Ｂ）、及び仕切板の要部の側面図（Ｃ）である。
【図４】図１に示すサンプル毛束を表示体に装着した状態を説明する正面図（Ａ）、及び要部の断面図（Ｂ）である。
【発明を実施するための形態】
【００１１】
図１及び図２に示すサンプル毛束用ホルダＡは、店舗等で使用され、陳列棚の前端において染髪料のサンプル毛束Ｓを展示するものである。サンプル毛束Ｓは、染色した毛束１の端部に固定板２を有している。固定板２は、紙やプラスチックを材料としており、毛束１の端部を挟み込んで固定している。
【００１２】
なお、以下の説明では、サンプル毛束用ホルダＡを「毛束用ホルダＡ」と略記する。また、毛束用ホルダＡは、図１に示す姿勢を基準にして上下左右の関係を説明する。
【００１３】
毛束用ホルダＡは、概略を説明すると、毛束１を外部に延出させた状態にして固定板２を挟持する正面板１１と背面板１２とを備えている。そして、毛束用ホルダＡは、正面板１１及び背面板１２が、相対向面に、互いに係合する係合部１３，１４を有し、背面板１２が、背面に、後記する陳列棚に設けた竪壁の上部に装着する掛止部１５を有する。
【００１４】
また、毛束用ホルダＡは、正面板１１及び背面板１２が、夫々の一辺同士で互いに回動可能に連結してある。さらに、毛束用ホルダＡは、正面板１１及び背面板１２の相対向面のうちの少なくとも一方の面に、サンプル毛束Ｓの固定板２の位置を規制する位置決め部２３，２４を有している。
【００１５】
次に、毛束用ホルダＡの構成をより詳細に説明する。正面板１１及び背面板１２は、その材料が限定されるものではないが、代表的にはプラスチックである。
【００１６】
この実施形態の正面板１１は、図中で左側に示す正方形状の主体部１１Ａと、主体部１１Ａの横方向に連続する延長部１１Ｂとを有している。図示例の延長部１１Ｂは、本体部１１Ａの約半分の高さ寸法を有し、主体部１１Ａと上辺同士が連続している。また、背面板１２は、正面板１１と同様に、主体部１２Ａと延長部１２Ｂとを有している。
【００１７】
上記の正面板１１及び背面板１２は、相対向面の外周に、相手側に突出する枠部１１Ｃ，１２Ｃを有しており、互いに組み合わせた際に、枠部１１Ｃ，１２Ｃの内側に扁平な空間を形成する。また、各枠部１１Ｃ，１２Ｃは、主体部１１Ａ、１２Ａの下辺中央部分で途切れており、これにより、毛束１を外部に延出させるための開口１６を形成する。
【００１８】
正面板１１及び背面板１２の係合部１３，１４は、図示例では、主体部１１Ａ，１２Ａの下部両側の２箇所と、主体部１１Ａ，１２Ａの中央領域の２箇所と、延出部１１Ｂ，１２Ｂの端部の１箇所との合計５箇所に配置してある。正面板１１の係合部１３は、その中心に、相手側に突出する係合ピン１３Ａを有している。これに対して、背面板１２の係合部１４は、その中心に、相手側に開放した係合孔１４Ａを有している。
【００１９】
ここで、サンプル毛束Ｓは、固定板２に、上記した主体部１１Ａ，１２Ａの中央領域の２箇所に配置した係合部１３（２３），１４（２４）に対応する２つの貫通孔３，３が形成してある。つまり、この実施形態では、上記の中央領域の係合部１３，１４が、サンプル毛束Ｓの固定板２の位置を規制する位置決め部２３，２４として機能する。
【００２０】
上記の正面板１１及び背面板１２は、互いの上辺同士が、可撓性を有する薄肉部１７により一体化してある。これにより、正面板１１及び背面板１２は、互いに回動可能に連結してある。このような正面板１１及び背面板１２は、周知の樹脂成形方法により一体成形することができる。
【００２１】
さらに、掛止部１５は、とくに、図２（Ｃ）に示す掛止部材２５により形成される。掛止部材２５は、正面板１１の幅寸法にほぼ相当する長さを有すると共に、図２（Ｂ）に示すように、上下方向にわたって適宜屈曲した断面形状を有する部分を掛止部１５としている。また、掛止部材２５は、その上端部の長手方向において、３つの取付用突部２５Ａが所定間隔で配置してある。各取付用突部２５Ａは、先端が鉤状を成している。
【００２２】
上記の掛止部材２５に対して、背面板１２は、上辺の枠部１２Ｃの下側に、取付用突部２５Ａの大きさ及び配置に対応して、スリット状の取付用開口１２Ｄが形成してある。こてにより、掛止部材２５は、取付用開口１２Ｄに取付用突部２５Ａを嵌合することで、背面板１２に装着され、背面板１２の背面側に掛止部１５を垂下させる。
【００２３】
上記構成を備えた毛束用ホルダＡは、図２（Ａ）に示すように、背面板１２の係合部１３（位置決め部２３），１４（位置決め部２４）に、固定板２の貫通孔３，３を合わせると共に、開口１６から毛束１を外側に延出させる。そして、毛束用ホルダＡは、図２（Ｂ）に矢印で示すように、薄肉部１７を中心にして正面板１１を回動させて、互いの係合部１３，１４同士を係合させる。
【００２４】
すなわち、毛束用ホルダＡは、正面板１１の係合ピン１３Ａと、背面板１２の係合孔１４Ａとを夫々嵌合する。これにより、毛束用ホルダＡは、サンプル毛束Ｓを挟持し、正面板１１と背面板１２との係合状態を維持する。
【００２５】
また、正面板１１及び背面板１２とサンプル毛束Ｓとの組み立て前後して、図２（Ｂ）に示すように、背面板１２に掛止部材２５を装着する。これにより、毛束用ホルダＡは、図１（Ａ）及び（Ｂ）に示すように、毛束１を下方に延出させた状態にして、その背面側に掛止部１５を有するものとなる。この毛束用ホルダＡは、図１（Ａ）中に仮想線で示すように、正面に、毛束１の色彩名や宣伝広告を記載した表示物Ｂ１，Ｂ２を設けることができる。
【００２６】
ここで、図３及び図４には、毛束用ホルダＡが適用可能な陳列棚１００及び表示体の一例を示している。陳列棚１００は、代表的な構造として、前端に、プライスカードを取り付けるための断面凹型のレール部１０１を備えると共に、前端近傍の上部に、各種器具の取り付けに使用する溝部１０２を備えている。レール部１０１及び溝部１０２は、陳列棚１００の幅方向にわたって設けてある。
【００２７】
そして、図示例の陳列棚１００は、図３に示すように、仕切板１０３と、仕切板１０３に設けた表示体１０４を備えている。
【００２８】
仕切板１０３は、周知のものであって、陳列棚１００上をその幅方向に仕切る本体部１０３Ａと、本体部１０３Ａの前端に設けた保持板１０３Ｂとを有している。本体部１０３Ａと保持板１０３Ｂは、互いに直角に連結してある。保持板１０３Ｂは、その後面の下辺に沿って、後方に突出する係合突起１０３Ｃを有している。
【００２９】
他方、表示体１０４は、同じく周知のものであって、前後に配置した第１及び第２のプレート１０４Ａ，１０４Ｂを有する。第１及び第２のプレート１０４Ａ，１０４Ｂは、下端部同士で連結してあり、第２プレート１０４Ｂの上端には、ヒンジ１０４Ｃを介して、装着板１０４Ｄの上端が回動可能に連結してある。装着板１０４Ｄは、その後面の下端近傍に沿って、上向きに屈曲した鉤片１０４Ｅを有する。鉤片１０４Ｅの内側には、上方に開放した係合溝１０４Ｆが形成されている。
【００３０】
上記の表示体１０４は、図４に示すように、装着板１０４Ｄの下端部を溝部１０２に差し込むと共に、係合溝１０４Ｆに保持板１０３Ｂの下端部を係合することで、仕切板１０３に装着される。この際、係合溝１０４Ｆと保持板１０３Ｂとの係合は、鉤片１０４Ｅを弾性変形させつつ、係合溝１０４Ｆの開放部から保持板１０３Ｂを押し込んでも良いし、係合溝１０４Ｆの端部から保持板１０３Ｂを挿入して、適当な位置までスライドさせても良い。
【００３１】
その後、仕切板１０３及び表示体１０４は、溝部１０２と装着板１０４Ｄとの係合、及び係合溝１０４Ｆと保持板１０３Ｂの係合突起１０３Ｃとの係止により、上下方向及び前後方向の位置決めが成される。
【００３２】
上記の仕切板１０３及び表示体１０４は、主に、透明なプラスチックで形成してある。そして、表示体１０４は、第１及び第２のプレート１０４Ａ，１０４Ｂの間に、商品の価格や宣伝広告等を記載したシート状の表示物を差し込むようになっている。
【００３３】
上記の仕切板１０３や表示体１０４は、店舗等の陳列棚に多く用いられている既存の機器である。これらに対して、毛束用ホルダＡは、図４に示すように、陳列棚１００に設けた竪壁としての表示体１０４の第１プレート１０４Ａの上端に、掛止部１５を掛止してサンプル毛束Ｓ（毛束１）を展示する。
【００３４】
より具体的には、図４中に仮想線で示す商品Ｃは染髪料であり、その色は多種類であるから、サンプル毛束Ｓも多種類となる。そこで、各サンプル毛束Ｓを個別の毛束用ホルダＡに装着し、夫々の毛束用ホルダＡを該当する商品Ｃの前に掛止することとなる。
【００３５】
このとき、毛束用ホルダＡは、その正面が、正面板１１とその外部に延出した毛束１のみで形成され、表示体１０４の第１プレート１０４Ａ（竪壁）の上部に配置される。このため、毛束用ホルダＡは、既存の表示体１０４がある場合でも、陳列棚１００の前方に張り出すことはなく、表示体１０４を覆う面積も必要最小限である。これにより、毛束用ホルダＡは、店内通路や既存の表示体の邪魔にならずに、サンプル毛束Ｓ（毛束１）を展示することができる。
【００３６】
また、先述したように、商品Ｃである染髪料は色の種類が多いため、既存の表示体１０４には、色別に分けた毛束用ホルダＡが装着される。その際、毛束用ホルダＡは、表示体１０４に掛止するだけで装着が完了し、表示体１０４を大きく覆い隠すことがないので、表示物の付け替えも不要である。このように、毛束用ホルダＡは、ＰＯＰ用品として利用価値が高いものである。
【００３７】
さらに、毛束用ホルダＡは、正面板１１及び背面板１２が、薄肉部１７により互いに回動可能に連結してある。これにより、毛束用ホルダＡは、プラスチック成形により、安価に大量生産することが可能であり、正面板１１及び背面板１２が一体化されているので、組み立て作業も非常に容易である。
【００３８】
さらに、毛束用ホルダＡは、正面板１１及び背面板１２の相対向面のうちの少なくとも一方の面に、サンプル毛束Ｓの固定板２の位置を規制する位置決め部２３，２４を有している。これにより、毛束用ホルダＡは、簡単な構造でサンプル毛束Ｓを確実に位置決めして固定することができ、組み立て作業のさらなる簡略化に貢献することができる。
【００３９】
また、上記実施形態では、正面板１１及び背面板１２の一部の係合部１３，１４を位置決め部２３，２４に利用した構成にした。この位置決め部は、正面板１１及び背面板１２のいずれか一方に設けても良く、例えば、図２（Ａ）中に仮想線で示すように、固定板３の周囲を規制する複数若しくは単数のリブ１８を採用することもできる。
【００４０】
さらに、上記実施形態の毛束用ホルダＡは、正面板１１及び背面板１２が、主体部１１Ａ，１２Ａと延長部１１Ｂ，１２Ｂとを有している。毛束用ホルダＡは、サンプル毛束Ｓを保持する機能だけを考慮すれば、正面板１１及び背面板１２を、主体部１１Ａ，１２Ａのみで構成しても構わない。しかし、毛束用ホルダＡは、陳列棚１００側への着脱作業を行う都合上、ある程度の大きさを有している方が望ましい。
【００４１】
そこで、上記実施形態の毛束用ホルダＡのように、延長部１１Ａ，１２Ａを有する横長の形態にすれば、取り扱いが容易であると共に、竪壁に掛止する範囲を拡大し得る。しかも、延長部１１Ａ，１２Ａは、図４（Ａ）に示す如く、竪壁である第１プレート１０４Ａの上辺に沿って配置されるので、表示物を大きく覆い隠してしまう心配がない。
【００４２】
本発明に係わるサンプル毛束用ホルダは、その構成が上記実施形態のみに限定されるものではなく、本発明の要旨を逸脱しない範囲で適宜変更することが可能である。
【符号の説明】
【００４３】
Ａ  サンプル毛束用ホルダ
Ｓ  サンプル毛束
１  毛束
２  固定板
１１  正面板
１２  背面板
１３，１４  係合部
１５  掛止部
２３，２４  位置決め部
１００  陳列棚
１０４  表示体
１０４Ａ  第１プレート（竪壁）
【図１】
2020018359.tif 000003
【図２】
2020018359.tif 000004
【図３】
2020018359.tif 000005
【図４】
2020018359.tif 000006